(57)【要約】【課題】取り扱いの簡便性に優れた寝相判定装置を提供すること。【解決手段】寝相判定装置１０は、非接触センサ７０を用いて対象者を測定することにより得られた測定結果を受信する受信器１１と、前記測定結果から前記対象者の呼吸信号を抽出する抽出回路１２と、呼吸信号のレベルに関する基準情報を保持しているメモリ１３と、前記対象者の前記呼吸信号のレベルと前記基準情報との比較に基づいて前記対象者の寝相を判定する判定回路１４と、を備える。【選択図】図１
2019209119.tif 000002
【特許請求の範囲】
【請求項１】
少なくとも１つの非接触センサを用いて対象者を測定することにより得られた測定結果を前記少なくとも１つの非接触センサから受信する受信器と、
前記測定結果から前記対象者の呼吸信号を抽出する抽出回路と、
前記呼吸信号のレベルに関する第１の基準情報を保持しているメモリと、
前記対象者の前記呼吸信号のレベルと前記第１の基準情報との第１の比較に基づいて前記対象者の寝相を判定し、前記寝相の判定結果を出力する判定回路と、
を備える寝相判定装置。
【請求項２】
前記抽出回路は、前記測定結果によって表される前記対象者の周期的な体動を前記呼吸信号として抽出する、
請求項１に記載の寝相判定装置。
【請求項３】
前記第１の基準情報は前記呼吸信号のレベルのしきい値であり、
前記判定回路は、
前記対象者の前記呼吸信号のレベルが前記しきい値以上のとき、前記対象者の寝相が仰向けであると判定し、
前記対象者の前記呼吸信号のレベルが前記しきい値未満のとき、前記対象者の寝相が仰向け以外であると判定する、
請求項１または２に記載の寝相判定装置。
【請求項４】
前記対象者の寝相が仰向けであると判定されたときに抽出された前記対象者の前記呼吸信号を用いて新たな第１の基準情報を生成し、前記メモリに保持されている前記第１の基準情報を前記新たな第１の基準情報で更新する更新回路をさらに備える、
請求項３に記載の寝相判定装置。
【請求項５】
前記測定結果から前記対象者の回転動作を検知する回転検知器をさらに備え、
前記判定回路は、前記第１の比較及び前記回転動作の検知結果に基づいて、前記対象者の寝相を判定する、
請求項１から３のいずれか１項に記載の寝相判定装置。
【請求項６】
前記少なくとも１つの非接触センサは複数の非接触センサを含み、前記複数の非接触センサは前記対象者に対して互いに異なる方向に設けられ、
前記受信器は、前記複数の非接触センサの各々から前記測定結果を受信し、
前記抽出回路は、前記測定結果から前記複数の非接触センサごとに前記対象者の呼吸信号を抽出し、
前記メモリは、前記呼吸信号のレベルの前記複数の非接触センサ間での関係に関する第２の基準情報をさらに保持しており、
前記判定回路は、前記対象者の前記呼吸信号のレベルの前記複数の非接触センサ間での関係と前記第２の基準情報との第２の比較に基づいて、前記対象者の寝相を判定する、
請求項１から５のいずれか１項に記載の寝相判定装置。
【請求項７】
前記第２の基準情報は、仰向け、横向き、及びうつ伏せを含む複数の寝相の各々に対応して、前記呼吸信号のレベルの前記複数の非接触センサ間での関係を表し、
前記判定回路は、前記第２の比較に基づいて、前記対象者の寝相が、前記複数の寝相のうちいずれであるかを判定する、
請求項６に記載の寝相判定装置。
【請求項８】
前記対象者の寝相が仰向け以外の寝相であると判定された場合、前記判定結果をユーザーに通知する通知器をさらに備える、
請求項１から７のいずれか１項に記載の寝相判定装置。
【請求項９】
前記少なくとも１つの非接触センサはドップラーレーダーである、
請求項１から８のいずれか１項に記載の寝相判定装置。
【請求項１０】
少なくとも１つの非接触センサを用いて対象者を測定することにより得られた測定結果を前記少なくとも１つの非接触センサから受信すること、
前記測定結果から前記対象者の呼吸信号を抽出すること、及び
前記呼吸信号のレベルに関する基準情報を参照して、前記対象者の前記呼吸信号のレベルと前記基準情報との比較に基づいて前記対象者の寝相を判定し、前記寝相の判定結果を出力すること、
を含む寝相判定方法。
【請求項１１】
寝相を判定するためのプログラムを格納したコンピュータ読み取り可能な記録媒体であって、
前記プログラムが前記コンピュータによって実行されるときに、
少なくとも１つの非接触センサを用いて対象者を測定することにより得られた測定結果を前記少なくとも１つの非接触センサから受信すること、
前記測定結果から前記対象者の呼吸信号を抽出すること、及び
前記呼吸信号のレベルに関する基準情報を参照して、前記対象者の前記呼吸信号のレベルと前記基準情報との比較に基づいて前記対象者の寝相を判定し、前記寝相の判定結果を出力すること、
が実行されるコンピュータ読み取り可能な記録媒体。
【請求項１２】
寝相を判定するためのコンピュータが実行可能なプログラムであって、
少なくとも１つの非接触センサを用いて対象者を測定することにより得られた測定結果を前記少なくとも１つの非接触センサから受信すること、
前記測定結果から前記対象者の呼吸信号を抽出すること、及び
前記呼吸信号のレベルに関する基準情報を参照して、前記対象者の前記呼吸信号のレベルと前記基準情報との比較に基づいて前記対象者の寝相を判定し、前記寝相の判定結果を出力すること、
をコンピュータに実行させるプログラム。
【発明の詳細な説明】
【技術分野】
【０００１】
本開示は、非接触センサを用いた寝相判定装置、寝相判定方法、記録媒体、およびプログラムに関する。
【背景技術】
【０００２】
乳幼児が睡眠中に突然死するＳＩＤＳ（Sudden Infant Death Syndrome：突然死症候群）と呼ばれる病気がある。ＳＩＤＳの発症リスクを低減するために、乳幼児をうつ伏せに寝かせないことが有効であることが分かっている。例えば、保育所では、乳幼児の午睡の際、保育士が乳幼児を定期的に監視することで、ＳＩＤＳのリスクを低減している。
【０００３】
対象者の寝相を機械的に判定する技術の一例として、特許文献１には、寝具の下、内部、または表面に所定の分布で設置された感圧素子が出力する複数の荷重信号に基づいて、就寝者の呼吸信号、寝姿、および体重を求める生体モニタシステムが開示されている。
【先行技術文献】
【特許文献】
【０００４】
【特許文献１】特開２００１−０７０２５６号公報
【発明の概要】
【発明が解決しようとする課題】
【０００５】
本開示は、取り扱いの簡便性に優れた寝相判定装置、寝相判定方法、記録媒体、およびプログラムを提供する。
【課題を解決するための手段】
【０００６】
本開示の一態様に係る寝相判定装置は、少なくとも１つの非接触センサを用いて対象者を測定することにより得られた測定結果を前記少なくとも１つの非接触センサから受信する受信器と、前記測定結果から前記対象者の呼吸信号を抽出する抽出回路と、前記呼吸信号のレベルに関する第１の基準情報を保持しているメモリと、前記対象者の前記呼吸信号のレベルと前記第１の基準情報との第１の比較に基づいて前記対象者の寝相を判定し、前記寝相の判定結果を出力する判定回路と、を備える。
【０００７】
なお、本開示の全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示の寝相判定装置によれば、呼吸信号のレベルが対象者の寝相に応じて異なることを利用して、呼吸信号のレベルと基準情報との比較に基づいて対象者の寝相を判定できる。
【図面の簡単な説明】
【０００９】
【図１】図１は、実施の形態１に係る寝相判定装置の機能的な構成の一例を示すブロック図である。
【図２】図２は、実施の形態１に係る非接触センサの測定結果の一例を示す図である。
【図３】図３は、実施の形態１に係る測定状況の一例を説明する概念図である。
【図４】図４は、実施の形態１に係る寝相判定装置の動作の一例を示すフローチャートである。
【図５】図５は、実施の形態１に係る測定結果の一例を示すグラフである。
【図６Ａ】図６Ａは、実施の形態１に係る寝相の一例を説明する概念図である。
【図６Ｂ】図６Ｂは、実施の形態１に係る寝相の一例を説明する概念図である。
【図７】図７は、実施の形態１に係る寝相に応じた呼吸信号の一例を示すグラフである。
【図８】図８は、実施の形態２に係る寝相判定装置の機能的な構成の一例を示すブロック図である。
【図９】図９は、実施の形態２に係る寝相判定装置の動作の一例を示すフローチャートである。
【図１０】図１０は、実施の形態３に係る寝相判定装置の機能的な構成の一例を示すブロック図である。
【図１１】図１１は、実施の形態３に係る寝相判定装置の動作の一例を示すフローチャートである。
【図１２Ａ】図１２Ａは、実施の形態３に係る回転検知の考え方の一例を説明する概念図である。
【図１２Ｂ】図１２Ｂは、実施の形態３に係る回転検知の考え方の一例を説明する概念図である。
【図１３】図１３は、実施の形態４に係る寝相判定装置の機能的な構成の一例を示すブロック図である。
【図１４】図１４は、実施の形態４に係る寝相判定装置の動作の一例を示すフローチャートである。
【図１５Ａ】図１５Ａは、実施の形態４に係る寝相に応じた呼吸信号のレベルの複数の非接触センサ間での関係の一例を説明する概念図である。
【図１５Ｂ】図１５Ｂは、実施の形態４に係る寝相に応じた呼吸信号のレベルの複数の非接触センサ間での関係の一例を説明する概念図である。
【図１５Ｃ】図１５Ｃは、実施の形態４に係る寝相に応じた呼吸信号のレベルの複数の非接触センサ間での関係の一例を説明する概念図である。
【図１５Ｄ】図１５Ｄは、実施の形態４に係る寝相に応じた呼吸信号のレベルの複数の非接触センサ間での関係の一例を説明する概念図である。
【発明を実施するための形態】
【００１０】
（本開示の基礎となった知見）
特許文献１の生体モニタシステムでは、寝具の下、内部、または表面に所定の分布で感圧素子を設置するため、感圧素子は、直接または寝具を介して対象者と接触する。そのため、特許文献１の生体モニタシステムを保育所における乳幼児の寝相の監視に用いた場合、対象者の快適性を損なう懸念があり、また、感圧素子の消耗による取り換え及び日常的な消毒などによる保育士及びスタッフの負担が大きい。
【００１１】
電波レーダー及び超音波ソナーなどの非接触センサを用いれば対象者の位置及び動きを非接触で測定することは可能であるが、そのような非接触センサの測定結果から対象者の寝相を判定する有効な技術は、従来知られていない。
【００１２】
本発明者は、非接触センサの測定結果から抽出される呼吸信号のレベルが、対象者の寝相に応じて異なることを見出した。本発明者は、この知見に基づき、非接触センサで対象者を測定して得た測定結果から対象者の寝相を判定する寝相判定装置、寝相判定方法、記録媒体、およびプログラムを提案する。
【００１３】
本開示の一態様に係る寝相判定装置は、少なくとも１つの非接触センサを用いて対象者を測定することにより得られた測定結果を前記少なくとも１つの非接触センサから受信する受信器と、前記測定結果から前記対象者の呼吸信号を抽出する抽出回路と、前記呼吸信号のレベルに関する第１の基準情報を保持しているメモリと、前記対象者の前記呼吸信号のレベルと前記第１の基準情報との第１の比較に基づいて前記対象者の寝相を判定し、前記寝相の判定結果を出力する判定回路と、を備える。
【００１４】
このような構成によれば、呼吸信号のレベルが対象者の寝相に応じて異なることを利用して、抽出された呼吸信号のレベルと第１の基準情報との比較に基づいて対象者の寝相を判定できる。呼吸信号は、非接触センサによる対象者の測定結果から抽出されるので、接触センサを用いる場合と比べて、対象者の快適性が損なわれることがなく、また、感圧素子の消耗による取り換え及び日常的な消毒などによるユーザーの負担を軽減できる。その結果、取り扱いの簡便性に優れた寝相判定装置が得られる。
【００１５】
また、前記抽出回路は、前記測定結果によって表される前記対象者の周期的な体動を前記呼吸信号として抽出してもよい。
【００１６】
このような構成によれば、測定結果の時系列から、ローパスフィルタ及びトレンド除去フィルタなどの具体的な手法を用いて、対象者の呼吸信号を容易に抽出することができる。
【００１７】
また、前記第１の基準情報は前記呼吸信号のレベルのしきい値であり、前記判定回路は、前記対象者の前記呼吸信号のレベルが前記しきい値以上のとき、前記対象者の寝相が仰向けであると判定し、前記対象者の前記呼吸信号のレベルが前記しきい値未満のとき、前記対象者の寝相が仰向け以外であると判定してもよい。
【００１８】
このような構成によれば、対象者が仰向けに寝ているときの呼吸信号のレベルが、対象者が仰向け以外の寝相で寝ているときの呼吸信号のレベルに比べて大きいことを利用して、抽出された呼吸信号のしきい値との比較により、対象者の寝相を判定できる。
【００１９】
また、前記対象者の寝相が仰向けであると判定されたときに抽出された前記対象者の前記呼吸信号を用いて新たな第１の基準情報を生成し、前記メモリに保持されている前記第１の基準情報を前記新たな第１の基準情報で更新する更新回路をさらに備えてもよい。
【００２０】
このような構成によれば、対象者固有の呼吸信号のレベルおよび呼吸信号のレベルの時間変動に応じて第１の基準情報が更新されるので、対象者の寝相をより高精度かつ安定的に判定できる。
【００２１】
また、前記測定結果から前記対象者の回転動作を検知する回転検知器をさらに備え、前記判定回路は、前記第１の比較及び前記回転動作の検知結果に基づいて、前記対象者の寝相を判定してもよい。
【００２２】
このような構成によれば、回転動作の検知により対象者に寝返りなどの寝相の変化があったか否かを認識して、対象者の寝相をより正確に判定することができる。これにより、例えば、回転動作を伴わずに呼吸信号のレベルが低下した場合など、対象者の呼吸停止などの異常が疑われる事態を、寝相の変化とは区別して検出することも可能になる。
【００２３】
また、前記少なくとも１つの非接触センサは複数の非接触センサを含み、前記複数の非接触センサは前記対象者に対して互いに異なる方向に設けられ、前記受信器は、前記複数の非接触センサの各々から前記測定結果を受信し、前記抽出回路は、前記測定結果から前記複数の非接触センサごとに前記対象者の呼吸信号を抽出し、前記メモリは、前記呼吸信号のレベルの前記複数の非接触センサ間での関係に関する第２の基準情報をさらに保持しており、前記判定回路は、前記対象者の前記呼吸信号のレベルの前記複数の非接触センサ間での関係と前記第２の基準情報との第２の比較に基づいて、前記対象者の寝相を判定してもよい。
【００２４】
このような構成によれば、呼吸信号のレベルの複数の非接触センサ間での関係が対象者の寝相に応じて異なることを利用して、抽出された呼吸信号のレベルの複数の非接触センサ間での関係と第２の基準情報との比較に基づいて対象者の寝相をより正確に判定できる。
【００２５】
また、前記第２の基準情報は、仰向け、横向き、及びうつ伏せを含む複数の寝相の各々に対応して、前記呼吸信号のレベルの前記複数の非接触センサ間での関係を表し、前記判定回路は、前記第２の比較に基づいて、前記対象者の寝相が、前記複数の寝相のうちいずれであるかを判定してもよい。
【００２６】
このような構成において、例えば、対象者の真上および斜め上にある非接触センサの測定結果から抽出される呼吸信号のレベルは、対象者の仰向け、横向き、うつ伏せを含む複数の寝相の各々において特有の大小関係を示す。このことを利用して、抽出された呼吸信号のレベルに成り立つ大小関係に応じて、対象者の寝相を判定できる。
【００２７】
また、前記対象者の寝相が仰向け以外の寝相であると判定された場合、前記判定結果をユーザーに通知する通知器をさらに備えてもよい。
【００２８】
このような構成によれば、対象者の寝相をユーザーに通知することにより、寝相に応じた適切な対処を促すことができる。例えば、保育所にあっては、乳幼児が仰向け以外の寝相となっていることを保育士に通知することにより、乳幼児をＳＩＤＳの発症リスクがより低い仰向けの寝相に戻すよう促すことができる。
【００２９】
また、前記少なくとも１つの非接触センサはドップラーレーダーであってもよい。
【００３０】
このような構成によれば、ドップラーレーダーを用いることにより、対象者を安定的に測定できるので、寝相の判定性能に優れた寝相判定装置が得られる。
【００３１】
本開示の一態様に係る寝相判定方法は、少なくとも１つの非接触センサを用いて対象者を測定することにより得られた測定結果を前記少なくとも１つの非接触センサから受信すること、前記測定結果から前記対象者の呼吸信号を抽出すること、及び前記呼吸信号のレベルに関する基準情報を参照して、前記対象者の前記呼吸信号のレベルと前記基準情報との比較に基づいて前記対象者の寝相を判定し、前記寝相の判定結果を出力すること、を含む。
【００３２】
このような方法によれば、呼吸信号のレベルが対象者の寝相に応じて異なることを利用して、呼吸信号のレベルと基準情報との比較に基づいて対象者の寝相を判定できる。呼吸信号は、非接触センサによる対象者の測定結果から抽出されるので、接触センサを用いる場合と比べて、対象者の快適性が損なわれることがなく、また、感圧素子の消耗による取り換え及び日常的な消毒などによるユーザーの負担を軽減できる。その結果、作業の簡便性に優れた寝相判定方法が得られる。
【００３３】
本開示の一態様に係るコンピュータ読み取り可能な記録媒体は、寝相を判定するためのプログラムを格納したコンピュータ読み取り可能な記録媒体であって、前記プログラムが前記コンピュータによって実行されるときに、少なくとも１つの非接触センサを用いて対象者を測定することにより得られた測定結果を前記少なくとも１つの非接触センサから受信すること、前記測定結果から前記対象者の呼吸信号を抽出すること、及び前記呼吸信号のレベルに関する基準情報を参照して、前記対象者の前記呼吸信号のレベルと前記基準情報との比較に基づいて前記対象者の寝相を判定し、前記寝相の判定結果を出力すること、が実行される。
【００３４】
本開示の一態様に係るプログラムは、寝相を判定するためのコンピュータが実行可能なプログラムであって、少なくとも１つの非接触センサを用いて対象者を測定することにより得られた測定結果を前記少なくとも１つの非接触センサから受信すること、前記測定結果から前記対象者の呼吸信号を抽出すること、及び前記呼吸信号のレベルに関する基準情報を参照して、前記対象者の前記呼吸信号のレベルと前記基準情報との比較に基づいて前記対象者の寝相を判定し、前記寝相の判定結果を出力すること、をコンピュータに実行させる。
【００３５】
このような構成によれば、上述と同様の効果を有する寝相判定方法を、コンピュータに実行させることができる。
【００３６】
本開示において、回路、ユニット、装置、部材または部の全部または一部、またはブロック図における機能ブロックの全部または一部は、例えば、半導体装置、半導体集積回路（ＩＣ）、またはＬＳＩ（ｌａｒｇｅ  ｓｃａｌｅ  ｉｎｔｅｇｒａｔｉｏｎ）を含む１つまたは複数の電子回路によって実行され得る。ＬＳＩまたはＩＣは、１つのチップに集積されてもよいし、複数のチップを組み合わせて構成されてもよい。例えば、記憶素子以外の機能ブロックは、１つのチップに集積されてもよい。ここでは、ＬＳＩまたはＩＣと呼んでいるが、集積の度合いによって呼び方が変わり、システムＬＳＩ、ＶＬＳＩ（ｖｅｒｙ  ｌａｒｇｅ  ｓｃａｌｅ  ｉｎｔｅｇｒａｔｉｏｎ）、もしくはＵＬＳＩ（ｕｌｔｒａ  ｌａｒｇｅ  ｓｃａｌｅ  ｉｎｔｅｇｒａｔｉｏｎ）と呼ばれるものであってもよい。ＬＳＩの製造後にプログラムされる、Ｆｉｅｌｄ  Ｐｒｏｇｒａｍｍａｂｌｅ  Ｇａｔｅ  Ａｒｒａｙ（ＦＰＧＡ）、またはＬＳＩ内部の接合関係の再構成またはＬＳＩ内部の回路区画のセットアップができるｒｅｃｏｎｆｉｇｕｒａｂｌｅ  ｌｏｇｉｃ  ｄｅｖｉｃｅも同じ目的で使うことができる。
【００３７】
さらに、回路、ユニット、装置、部材または部の全部または一部の機能または操作は、ソフトウェア処理によって実行することが可能である。この場合、ソフトウェアは１つまたは複数のＲＯＭ、光学ディスク、ハードディスクドライブなどの非一時的記録媒体に記録され、ソフトウェアが処理装置（ｐｒｏｃｅｓｓｏｒ）によって実行されたときに、そのソフトウェアで特定された機能が処理装置（ｐｒｏｃｅｓｓｏｒ）および周辺装置によって実行される。システムまたは装置は、ソフトウェアが記録されている１つまたは複数の非一時的記録媒体、処理装置（ｐｒｏｃｅｓｓｏｒ）、および必要とされるハードウェアデバイス、例えばインターフェースを備えていてもよい。
【００３８】
以下、本開示の一態様に係る寝相判定装置について、図面を参照しながら具体的に説明する。
【００３９】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００４０】
（実施の形態１）
図１は、寝相判定装置１０の機能的な構成の一例を示すブロック図である。図１には、寝相判定装置１０とともに、非接触センサ７０が示されている。非接触センサ７０は、寝相判定装置１０に含まれてもよい。
【００４１】
まず、非接触センサ７０について説明する。非接触センサ７０は、検知エリア内にある対象者までの距離と対象者の動きとを非接触で測定する。非接触センサ７０は、例えば、ドップラーレーダーで構成される。ドップラーレーダーは、検知エリアへ向けて探知波である超音波または電磁波を送信し、対象者からの反射波を受信することによって対象者までの距離と対象者の動きとを非接触で測定する。
【００４２】
図２は、非接触センサ７０の測定結果の一例を示す図である。図２に示されるように、非接触センサ７０の測定結果１１０は、レンジビン１１１ごとの反射強度１１２と位相回転量１１３とで構成される。
【００４３】
レンジビン１１１は、非接触センサ７０から対象者までの距離の離散的な計測結果を表し、探知波の送信から反射波の受信までの片道時間に対応する。レンジビン１１１の幅、すなわち距離の分解能は、例えば、探知波がパルス幅０．５ナノ秒のミリ波帯の電波である場合、７．５センチメートルである。反射強度１１２は、反射波の強度であり、対応するレンジビンに対象者が存在する確度を表す。位相回転量１１３は、反射波の探知波に対する位相の変化量であり、その時間変化は対象者の相対速度（例えば、対象者の呼吸による体動）に対応する。ここで、対象者の相対速度とは、非接触センサ７０から対象者を見た視線方向の速度成分を意味する。
【００４４】
図１を参照して、寝相判定装置１０は、受信器１１、抽出回路１２、メモリ１３、判定回路１４および通知器１５を備えている。
【００４５】
受信器１１は、非接触センサ７０により検知エリア内の対象者を測定して得た測定結果を受信する。測定結果は、対象者までの距離と対象者の動きとを表してもよい。抽出回路１２は、受信された測定結果から呼吸信号を抽出する。メモリ１３は、呼吸信号のレベルに関する基準情報を保持している。判定回路１４は、抽出された呼吸信号のレベルと基準情報との比較に基づいて対象者の寝相を判定し判定結果を出力する。通知器１５は、対象者の寝相が仰向け以外の寝相であると判定された場合に判定結果をユーザーに通知する。ここで、ユーザーとは、例えば、対象者の健康状態を監視している保育士、看護師などである。
【００４６】
寝相判定装置１０は、例えば、プロセッサ、メモリ、通信回路などを有するコンピュータシステムで構成される。図１に示される寝相判定装置１０の個々の構成要素は、例えば、プロセッサがメモリに記録されたプログラムを実行することによって果たされるソフトウェア機能であってもよい。
【００４７】
次に、上述のように構成された寝相判定装置１０の動作を、測定状況の具体例に基づいて説明する。
【００４８】
図３は、測定状況の一例を説明する概念図である。図３は、天井Ｅに非接触センサ７０が配置され、床Ｆに対象者Ｓがいる状況を模式的に示している。図３において、隣接する同心円の間の領域はレンジビンを表し、同心円の径方向に付された数字はレンジビンの番号を表している。レンジビンは、立体的には、全方位に広がる同心球殻状の領域である。図３では、簡明のため非接触センサ７０を対象者Ｓの真上に図示しているが、非接触センサ７０は対象者Ｓの斜め上に配置されていても構わない。
【００４９】
図４は、寝相判定装置１０の動作の一例を示すフローチャートである。
【００５０】
寝相判定装置１０は、図３の測定状況において、図４のフローチャートに従って、次のように動作する。
【００５１】
受信器１１は、非接触センサ７０から測定結果を受信する（Ｓ１２１）。
【００５２】
図５は、図４の測定状況に対応する測定結果の一例を表すグラフである。図５の例では、第７のレンジビンにおいて、対象者Ｓからの反射波による反射強度と、対象者Ｓの呼吸による体動に由来する位相回転量とがそれぞれ検知されている。
【００５３】
抽出回路１２は、受信された測定結果から呼吸信号を抽出する（図４のＳ１２２）。呼吸信号は、測定結果の時系列に含まれる対象者の呼吸に由来する十数Ｈｚ前後の周波数成分である。抽出回路１２は、例えば、対象者が存在する距離（図５の例では、第７のレンジビン）における位相回転量の時系列から、ローパスフィルタまたはトレンド除去フィルタを用いて呼吸信号を抽出してもよい。
【００５４】
また、非接触センサ７０の距離の分解能が十分に高ければ、反射強度のピークを有するレンジビンの変動から対象者の体表の変位を把握することもできる。この場合、抽出回路１２は、対象者の体表の変位の時系列、つまり、反射強度のピークを有するレンジビンの変動に含まれる十数Ｈｚ前後の周波数成分を、呼吸信号として抽出してもよい。抽出される呼吸信号のレベルは、対象者の寝相に応じて異なる。
【００５５】
図６Ａ及び図６Ｂは、それぞれ対象者の寝相の一例を説明する概念図であり、図６Ａは仰向けの寝相、図６Ｂはうつ伏せの寝相をそれぞれ表している。図６Ａにおける放射状の長い矢印で示すように、仰向けの寝相では対象者Ｓの胸・腹部に放射状に拡縮する動きが生じ、図６Ｂにおける平行な短い矢印で示すように、うつ伏せの寝相では対象者Ｓの背部全体に比較的小さい鉛直方向の平行な動きが生じる。
【００５６】
図７は、寝相に応じた呼吸信号の一例を示すグラフである。図７では、対象者Ｓの真上または斜め上に設置した非接触センサ７０による測定結果から抽出される呼吸信号を、対象者の寝相が仰向けの場合（実線）およびうつ伏せの場合（点線）について示している。
【００５７】
寝相に応じた対象者の動きの違いにより、仰向けの場合にはうつ伏せの場合と比べて高いレベルの呼吸信号が抽出される。ここで、呼吸信号のレベルとは、呼吸信号の大きさを表す適宜の数値であり、一例として、呼吸信号の振幅の所定時間（例えば数秒間）にわたる二乗平均平方根が用いられる。
【００５８】
図７では、仰向けおよびうつ伏せでの呼吸信号のレベルをそれぞれＬ１、Ｌ２と表記している。仰向けの寝相では、対象者の体の部位のうち呼吸に伴う動きが最も大きい胸・腹部が上方に開放されることから、うつ伏せ及び図示していない横向きなどの他のどの寝相と比べても高いレベルＬ１の呼吸信号が抽出される。
【００５９】
したがって、対象者の寝相が仰向けのときの呼吸信号のレベルより小さいしきい値ＴＨを設定し、呼吸信号の現在のレベルとしきい値ＴＨとを比較することによって、対象者の現在の寝相が仰向けか仰向け以外かを判定することができる。
【００６０】
しきい値ＴＨは、特には限定されないが、一例として、寝相判定を開始する前の測定結果から設定してもよい。例えば、対象者の寝相が仰向けのときの呼吸信号のレベルをあらかじめ求めておき、求めたレベルに１未満の係数を乗じて得た値をしきい値ＴＨとしてもよい。また、仰向けのときの呼吸信号のレベルと仰向け以外のときの呼吸信号のレベルをあらかじめ求めておき、求めたレベルの中間的な値をしきい値ＴＨとしてもよい。
【００６１】
設定されたしきい値ＴＨは、呼吸信号のレベルに関する基準情報として、メモリ１３に保持される。
【００６２】
判定回路１４は、メモリ１３からしきい値ＴＨを参照し、最近の測定結果から抽出した呼吸信号のレベルとしきい値ＴＨとを比較することによって、対象者の現在の寝相が仰向けか仰向け以外かを判定する（図４のＳ１２３）。判定回路１４は、例えば、呼吸信号のレベルがしきい値ＴＨ以上のとき、対象者の寝相が仰向けであると判定し、前記抽出された呼吸信号のレベルが前記しきい値未満のとき、前記対象者の寝相が仰向け以外であると判定し、判定結果を出力する。
【００６３】
対象者の寝相が仰向けと判定された場合（Ｓ１２４でＹＥＳ）、ユーザーに寝相が通知されることなく、寝相判定装置１０は寝相の判定を続行する。なお、ユーザーに通知しなくとも、判定された寝相を記録として保存するようにしてもよい。
【００６４】
対象者の寝相が仰向け以外と判定された場合（Ｓ１２４でＮＯ）、通知器１５はユーザーに寝相を通知する（Ｓ１８０）。通知器１５は、例えば保育所にあっては、携帯端末または保育所内に設置された表示器などを介して、音、振動、光などの適宜の態様で、乳幼児が仰向け以外の寝相になっていることを保育士に通知してもよい。これにより、乳幼児をＳＩＤＳの発症リスクがより低い仰向けの寝相に戻すよう、保育士に促すことができる。なお、通知器１５による通知は、保育所に限ることなく、例えば病院及び老人ホーム等の施設であっても、上記と同様にして、看護師及び管理人等に通知することができる。
【００６５】
このように、寝相判定装置１０によれば、呼吸信号のレベルが対象者の寝相に応じて異なることを利用して、呼吸信号のレベルと基準情報との比較に基づいて対象者の寝相を判定できる。呼吸信号は、非接触センサによる対象者の測定結果から抽出されるので、接触センサを用いる場合と比べて、対象者の快適性が損なわれることがなく、また、感圧素子の消耗による取り換え及び日常的な消毒などによるユーザーの負担を軽減できる。その結果、取り扱いの簡便性に優れた寝相判定装置が得られる。
【００６６】
（実施の形態２）
実施の形態２では、仰向けと判定されたときの呼吸信号を用いて基準情報を更新する寝相判定装置について説明する。なお、先行する実施の形態で説明した構成要素およびステップと同一の構成要素およびステップは同一の符号で参照し、重複する説明を適宜省略する。
【００６７】
図８は、実施の形態２に係る寝相判定装置の機能的な構成の一例を示すブロック図である。図８の寝相判定装置２０では、図１の寝相判定装置１０と比べて、更新回路２６が追加される。
【００６８】
更新回路２６は、対象者の寝相が仰向けであると判定されたときに抽出された呼吸信号を用いて新たな基準情報を生成し、メモリ１３に保持されている基準情報を前記新たな基準情報で更新する。
【００６９】
図９は、寝相判定装置２０の動作の一例を示すフローチャートである。図９に示される寝相判定装置２０の動作では、図４の寝相判定装置１０の動作と比べて、ステップＳ１９０が追加される。
【００７０】
寝相判定装置２０では、寝相判定装置１０と同様、呼吸信号のレベルと基準情報との比較に基づいて対象者の寝相が判定され、寝相が仰向け以外であればユーザーに通知される（Ｓ１２１からＳ１２４、Ｓ１８０）。ステップＳ１１０からＳ１２４、Ｓ１８０の内容および適用される測定状況は、実施の形態１で説明したとおりである。
【００７１】
寝相判定装置２０では、対象者の寝相が仰向けであると判定されたとき（Ｓ１２４でＹＥＳ）、呼吸信号のレベルを更新回路２６で収集する。更新回路２６は、例えば、最近に収集された所定個数の呼吸信号のレベルの平均値に１未満の係数を乗じることにより新たなしきい値を生成し、メモリ１３に保持されているしきい値を、新たなしきい値で更新する。
【００７２】
このように、寝相判定装置２０によれば、寝相判定を行う中で、仰向けと判定されたときの呼吸信号を用いて、基準情報を逐次に更新する。これにより、基準情報が、対象者固有の呼吸信号のレベルおよびレベルの時間変動に応じて更新されるので、対象者の個人差及び体調変動に応じて、対象者の寝相をより高精度かつ安定的に判定できる。
【００７３】
（実施の形態３）
寝相の判定には、さらに、寝返りに代表される対象者の回転動作を考慮してもよい。
【００７４】
実施の形態３では、対象者の回転動作を検知することにより、対象者の寝相を判定する寝相判定装置について説明する。なお、先行する実施の形態で説明した構成要素およびステップと同一の構成要素およびステップは同一の符号で参照し、重複する説明を適宜省略する。
【００７５】
図１０は、実施の形態３に係る寝相判定装置の機能的な構成の一例を示すブロック図である。図１０の寝相判定装置３０では、図１の寝相判定装置１０と比べて、判定回路１４に代えて判定回路３４が設けられ、回転検知器３７が追加される。回転検知器３７は、測定結果から対象者の回転動作を検知する。
【００７６】
図１１は、寝相判定装置３０の動作の一例を示すフローチャートである。図１１に示される寝相判定装置３０の動作では、図４の寝相判定装置１０の動作と比べて、ステップＳ１３１が追加され、ステップＳ１２３、Ｓ１２４に代えて、ステップＳ１３３、Ｓ１３４が設けられる。
【００７７】
寝相判定装置３０では、寝相判定装置１０と同様、測定結果が受信され（Ｓ１２１）、測定結果から呼吸信号が抽出される（Ｓ１２２）。寝相判定装置３０では、さらに、回転検知器３７により、対象者の回転動作が検知される（Ｓ１３１）。
【００７８】
図１２Ａ、図１２Ｂは、回転検知の考え方の一例を説明する概念図である。対象者Ｓが回転動作として寝返りを打つとき、腕など体側の一部を支点Ｐとして回転しようとする。
【００７９】
図１２Ａは、仰向けまたはうつ伏せの状態から横向きに遷移する回転動作を、時計回りの白矢印で模式的に示している。この動作では、対象者Ｓの体のほとんどの部位が非接触センサ７０に近づく方向（この方向の動きの速度を正の相対速度とする）に動き、その相対速度も、上向きの黒矢印で示すように部位毎に異なる。その結果、右枠内に示すような正に偏った相対速度の分布（以下、ドップラースペクトルと言う）が測定される。
【００８０】
図１２Ｂは、横向きの状態からうつ伏せあるいは仰向けに遷移する動作を、反時計回りの白矢印で模式的に示している。この動作では、対象者Ｓの体の多くの部位が非接触センサ７０から遠ざかる方向（この方向の動きの速度を負の相対速度とする）に動き、その相対速度も、下向きの黒矢印で示すように部位毎に異なる。その結果、右枠内に示すような負に偏ったドップラースペクトルが測定される。
【００８１】
ドップラースペクトルは寝返りの状態に応じて時々刻々変化する。例えば、対象者Ｓが仰向けから横向きを経てうつ伏せ（またはその逆）に寝相を変える場合には、時系列で観測すると、まず正の相対速度が支配的な分布が現れ、その後、負の相対速度が支配的な分布が現れるようなパターンとなる。
【００８２】
そこで、回転検知器３７は、ドップラースペクトルの測定結果から、対象者の回転動作を検知する。
【００８３】
判定回路３４は、呼吸信号のレベルと基準情報との比較に加えて、回転動作の検知結果を用いて、対象者の寝相を判定する（図１１のＳ１３３）。判定回路３４は、例えば、対象者の寝相が仰向けと判定されている状態で回転動作が検知された場合には、呼吸信号のレベルがしきい値以上であっても、対象者の寝相が仰向け以外になったと判定してもよい。また、回転動作を伴わずに呼吸信号のレベルが低下した場合など、対象者の呼吸停止などの異常が疑われる事態を、寝相の変化とは区別して検出することも可能になる。
【００８４】
通知器１５は、対象者が仰向き以外の寝相であることの通知に加えて、対象者の異常が疑われる事態をユーザーに通知する（Ｓ１８０）。
【００８５】
このように、寝相判定装置３０によれば、呼吸信号のレベルと基準情報との比較に加えて、回転動作の検知結果を用いて、対象者の寝相を判定するので、対象者の寝相をより正確に判定することができる。その結果、呼吸信号のレベルと基準情報との比較だけでは検出できない寝相の変化及び異常事態を適切に検出し、ユーザーに通知できる。
【００８６】
（実施の形態４）
対象者の寝相の判定に用いる非接触センサは１つとは限られない。寝相の判定には、複数の非接触センサを用いてもよい。
【００８７】
実施の形態４では、複数の非接触センサで対象者を測定して得た測定結果を用いて対象者の寝相を判定する寝相判定装置について説明する。なお、先行する実施の形態で説明した構成要素およびステップと同一の構成要素およびステップは同一の符号で参照し、重複する説明を適宜省略する。
【００８８】
図１３は、実施の形態４に係る寝相判定装置の機能的な構成の一例を示すブロック図である。図１３の寝相判定装置４０では、図１の寝相判定装置１０と比べて、メモリ１３、判定回路１４に代えてそれぞれメモリ４３、判定回路４４が設けられる。また、対象者に対して互いに異なる方向（例えば、真上および斜め上）に設けられた複数の非接触センサ７０ａ、７０ｂ、７０ｃが用いられる。複数の非接触センサ７０ａ、７０ｂ、７０ｃは、寝相判定装置４０に含まれてもよい。複数の非接触センサは２台または４台以上であってもよい。
【００８９】
メモリ４３は、呼吸信号のレベルの複数の非接触センサ７０ａ、７０ｂ、７０ｃ間での関係に関する基準情報を保持している。判定回路４４は、抽出された呼吸信号のレベルの複数の非接触センサ７０ａ、７０ｂ、７０ｃ間での関係と、メモリ４３に保持されている基準情報との比較に基づいて、対象者の寝相を判定する。
【００９０】
図１４は、寝相判定装置４０の動作の一例を示すフローチャートである。図１４に示される寝相判定装置４０の動作では、図４の寝相判定装置１０の動作と比べて、ステップＳ１１１、Ｓ１４１が追加され、ステップＳ１２３、Ｓ１２４に代えてステップＳ１４３、Ｓ１４４が設けられる。
【００９１】
寝相判定装置４０では、複数の非接触センサのうちの１つ選択し（Ｓ１１１）、選択した非接触センサの測定結果から呼吸信号を抽出する処理（Ｓ１２１、Ｓ１２２）を、すべての非接触センサが選択されるまで繰り返す（Ｓ１４１）。
【００９２】
すべての非接触センサについて呼吸信号が抽出されると（Ｓ１４１でＹＥＳ）、判定回路４４は、抽出された呼吸信号のレベルの複数の非接触センサ間での関係と基準情報との比較に基づいて、対象者の寝相を判定する。
【００９３】
抽出される呼吸信号のレベルの複数の非接触センサ間での関係は、対象者の寝相に応じて異なる。
【００９４】
図１５Ａから図１５Ｄは、寝相に応じた複数の呼吸信号のレベルの関係の一例を説明する概念図である。図１５Ａから図１５Ｄは、非接触センサ７０ａ、７０ｂ、７０ｃでの測定結果から抽出される呼吸信号のレベルＬａ、Ｌｂ、Ｌｃの関係を、対象者Ｓの寝相が仰向け、うつ伏せ、右横向き、および左横向きである場合について示している。非接触センサ７０ａ、７０ｂ、７０ｃは、対象者Ｓの真上、左斜め上および右斜め上にそれぞれ設置されている。
【００９５】
図１５Ａに見られるように、仰向けの寝相では、呼吸により対象者Ｓの胸・腹部に放射状に拡縮する動きが生じる。胸・腹部の放射状の動きは、非接触センサ７０ａ、７０ｂ、７０ｃのいずれから見ても等方的であるため、呼吸信号のレベルＬａ、Ｌｂ、Ｌｃは略同一である。つまり、呼吸信号のレベルＬａ、Ｌｂ、Ｌｃには、Ｌｂ≒Ｌａ≒Ｌｃなる関係がある。
【００９６】
また、図１５Ｂに見られるように、うつ伏せの寝相では、呼吸により対象者Ｓの背部全体に鉛直方向の平行な動きが生じる。背部の動きは、非接触センサ７０ｂ、７０ｃで斜めから見ると、非接触センサ７０ａで真上から見るよりも小さく見えるため、呼吸信号のレベルＬｂ、Ｌｃは、呼吸信号のレベルＬａよりも小さい。つまり、呼吸信号のレベルＬａ、Ｌｂ、Ｌｃには、Ｌｂ＜Ｌａ＞Ｌｃなる関係がある。
【００９７】
また、図１５Ｃ、図１５Ｄに見られるように、右横向きおよび左横向きの寝相では、呼吸により対象者Ｓの胸・腹部に放射状に拡縮する動きが生じるとともに、背部全体に水平方向の動きが生じる。対象者Ｓの背部の動きは胸・腹部の動きよりも小さく、体側の動きは背部の動きよりもさらに小さい。
【００９８】
図１５Ｃの例では、非接触センサ７０ａ、７０ｂ、７０ｃは、対象者Ｓの体側、背部、胸・腹部をそれぞれ測定する。そのため、非接触センサ７０ｃでの呼吸信号のレベルＬｃが最も大きく、非接触センサ７０ｂでの呼吸信号のレベルＬｂが次に大きく、非接触センサ７０ａでの呼吸信号のレベルＬａが最も小さい。つまり、呼吸信号のレベルＬａ、Ｌｂ、Ｌｃには、Ｌｂ＞Ｌａ≪Ｌｃなる関係がある。
【００９９】
図１５Ｄの例では、非接触センサ７０ａ、７０ｂ、７０ｃは、対象者Ｓの体側、胸・腹部、背部をそれぞれ測定する。そのため、非接触センサ７０ｂでの呼吸信号のレベルＬｂが最も大きく、非接触センサ７０ｃでの呼吸信号のレベルＬｃが次に大きく、非接触センサ７０ａでの呼吸信号のレベルＬａが最も小さい。つまり、呼吸信号のレベルＬａ、Ｌｂ、Ｌｃには、Ｌｂ≫Ｌａ＜Ｌｃなる関係がある。
【０１００】
図１５Ａから図１５Ｄに例示する呼吸信号のレベルＬａ、Ｌｂ、Ｌｃ間の関係は、呼吸信号のレベルの非接触センサ間での関係の一例である。
【０１０１】
メモリ４３は、呼吸信号のレベルＬａ、Ｌｂ、Ｌｃ間の関係を、例えば、上述した関係式で表し、寝相と対応付けて保持する（図示せず）。
【０１０２】
判定回路４４は、現在の呼吸信号のレベルＬａ、Ｌｂ、Ｌｃの関係と、メモリ４３に保持されている基準情報との比較に基づいて、対象者の寝相を判定する。具体的には、判定回路４４は、メモリ４３において、現在の呼吸信号のレベルＬａ、Ｌｂ、Ｌｃについて成り立つ関係式に対応して保持されている寝相を、対象者の寝相として判定する。
【０１０３】
このように、寝相判定装置４０によれば、呼吸信号のレベルの複数の非接触センサ間での関係が対象者の寝相に応じて異なることを利用して、抽出された呼吸信号のレベルの複数の非接触センサ間での関係と基準情報との比較に基づいて対象者の寝相を判定できる。これにより、単純なしきい値比較と比べてより多くの種類の寝相をより正確に判定することが可能になる。
【０１０４】
なお、本開示の実施の形態のいずれにおいても、非接触センサは、対象者の真上または斜め上に設置した例を示したが、これに限定されない。必要に応じて信号の補正を行うなどして、対象者の真上および斜め上以外の位置に設置してもよい。
【０１０５】
以上、本開示の実施の形態に係る寝相判定装置、寝相判定方法、およびプログラムについて説明したが、本開示は、個々の実施の形態には限定されない。本開示の趣旨を逸脱しない限り、当業者が思いつく各種変形を本実施の形態に施したもの、及び異なる実施の形態における構成要素を組み合わせて構築される形態も、本開示の一つ又は複数の態様の範囲内に含まれてもよい。
【産業上の利用可能性】
【０１０６】
本開示の寝相判定装置、寝相判定方法、記録媒体、およびプログラムは、例えば、保育所などにおける乳幼児の見守りシステムなど、寝相を判定する応用に広く利用できる。
【符号の説明】
【０１０７】
１０、２０、３０、４０  寝相判定装置
１１  受信器
１２  抽出回路
１３、４３  メモリ
１４、３４、４４  判定回路
１５  通知器
２６  更新回路
３７  回転検知器
７０、７０ａ、７０ｂ、７０ｃ  非接触センサ
１１０  測定結果
１１１  レンジビン
１１２  反射強度
１１３  位相回転量
【図１】
2019209119.tif 000003
【図２】
2019209119.tif 000004
【図３】
2019209119.tif 000005
【図４】
2019209119.tif 000006
【図５】
2019209119.tif 000007
【図６Ａ】
2019209119.tif 000008
【図６Ｂ】
2019209119.tif 000009
【図７】
2019209119.tif 000010
【図８】
2019209119.tif 000011
【図９】
2019209119.tif 000012
【図１０】
2019209119.tif 000013
【図１１】
2019209119.tif 000014
【図１２Ａ】
2019209119.tif 000015
【図１２Ｂ】
2019209119.tif 000016
【図１３】
2019209119.tif 000017
【図１４】
2019209119.tif 000018
【図１５Ａ】
2019209119.tif 000019
【図１５Ｂ】
2019209119.tif 000020
【図１５Ｃ】
2019209119.tif 000021
【図１５Ｄ】
2019209119.tif 000022